(57)【要約】【課題】内輪の傾きを少なくし、軸受の剛性の安定性と版胴の振れを抑制することができ、また予圧調整が容易となる印刷機械の版胴サポート用円すいころ軸受を提供する。【解決手段】この円すいころ軸受３０は、テーパ状の内方軌道を有する外輪と、テーパ状の外方軌道１３ａを有しその外方軌道の小径側端部に小つば部１５を大径側端部に大つば部１６をそれぞれ形成した内輪１３と、保持器１７によって内方軌道と外方軌道との間に転動自在に保持案内される複数の円すいころ１２と、を備える印刷機械の版胴サポート用円すいころ軸受であって、円すいころの尾部側と内輪の小つば部とを接触させたときに、円すいころの頭部側端面と内輪の大つば部との間に形成される隙間２５の寸法ΔＬを１．０ｍｍ以下とした。【選択図】図３
2008025661.tif 000002
【特許請求の範囲】
【請求項１】
テーパ状の内方軌道を有する外輪と、テーパ状の外方軌道を有しその外方軌道の小径側端部に小つば部を大径側端部に大つば部をそれぞれ形成した内輪と、保持器によって前記内方軌道と前記外方軌道との間に転動自在に保持案内される複数の円すいころと、を備える印刷機械の版胴サポート用円すいころ軸受であって、
前記円すいころの尾部側と前記内輪の小つば部とを接触させたときに、前記円すいころの頭部側端面と前記内輪の大つば部との間に形成される隙間の寸法ΔＬを１．０ｍｍ以下としたことを特徴とする円すいころ軸受。
【請求項２】
テーパ状の内方軌道を有する外輪と、テーパ状の外方軌道を有しその外方軌道の小径側端部に小つば部を大径側端部に大つば部をそれぞれ形成した内輪と、保持器によって前記内方軌道と前記外方軌道との間に転動自在に保持案内される複数の円すいころと、を備える印刷機械の版胴サポート用円すいころ軸受であって、
前記円すいころの尾部側と前記内輪の小つば部とを接触させたときに、前記円すいころの頭部側端面と前記内輪の大つば部との間に形成される隙間の寸法ΔＬと前記円すいころの長さＬとの比ΔＬ／Ｌを０．０１６以下としたことを特徴とする円すいころ軸受。
【請求項３】
前記印刷機械の版胴の回転軸とハウジングとの間に組み込まれる際に、前記内輪を前記回転軸に対し締め付け部材により予圧が加えられて締め込むように構成された請求項１または２に記載の円すいころ軸受。
【発明の詳細な説明】
【技術分野】
【０００１】
本発明は、印刷機械の版胴サポート用円すいころ軸受に関する。
【背景技術】
【０００２】
下記特許文献１は、自動車のギヤボックスに装着してシャフトを回転自在に支持したり、あるいは自動車の懸架装置に装着して車軸を回転自在に支持する場合等のように自動車に使用され円すいころ軸受を開示する。一方、印刷機械の版胴サポート用転がり軸受の場合、印刷時のインクのずれやむらが極力少なくなるように版胴の自由度を完全に拘束する必要があるため、軸受には剛性が要求され、また、軸受には予圧が付与される。
【０００３】
印刷機械の版胴サポート用転がり軸受の従来例を図１，図２に示す。図１，図２の転がり軸受は、単列円すいころ軸受１０と２０を外輪間座１４で合わせた２列背面組合せとしたものである。図１のように、単列円すいころ軸受１０は、テーパ状の内方軌道１１ａを有する外輪１１と、テーパ状の外方軌道１３ａを有し、外方軌道１３ａの小径側端部に小つば部１５を、大径側端部に大つば部１６をそれぞれ形成した内輪１３と、保持器１７により内方軌道１１ａと外方軌道１３ａとの間で保持案内される複数の円すいころ１２と、を備える。単列円すいころ軸受２０は、外輪２１と内輪２３と複数の円すいころ２２とを備え、単列円すいころ軸受１０と同様の構成である。
【０００４】
図１の転がり軸受は、図２のように、印刷機械に組み込まれて版胴５１をサポートする。即ち、図１の転がり軸受は、内輪１３，２３から版胴の５１の回転軸５３に差し込み、軸端よりナット５４にて軸端側列の内輪１３を締め込むことで予圧を加える構造であり、また、外輪１１，２１をハウジング５２に圧入することで固定する構造である。また、外輪押さえ部品５５が内側の外輪２１の倒れを防ぐように設けられており、また、ハウジング５２内には油穴５２ａが設けられている。
【特許文献１】特許公報２８４４６４８号
【発明の開示】
【発明が解決しようとする課題】
【０００５】
しかしながら、上述のように図１の転がり軸受は、単列円すいころ軸受１０，２０を外輪間座１４に合わせた２列背面組合せで使用しているが、軸端のナット５４を締め込み予圧を加える際に、回転軸５３とナット５４のねじ部のすきま及びナット端面の精度の影響で、ナット５４の端面が傾き、それに伴い軸端側列の内輪１３に傾きが発生する場合がある。また、回転軸５３に軸受を焼きばめ等で挿入する際に、回転軸５３と内輪内径面１３ｂ，２３ｂとの間のすきまにより、内輪１３，２３が傾いたまま挿入され、傾いたままの形状で冷やされ固定されることがある。軸受に傾きが生じると、予圧が不均一となり剛性不足が発生し、また軸受の振れ精度が大きくなることから、版胴自体の振れが大きくなり、印刷精度が悪くなり、印刷障害が発生する要因の一つである。
【０００６】
また、上述の予圧調整の際、内輪１３，２３の大つば部１６と円すいころ１２，２２の頭部面とを当接させるためには、転がり軸受を回転させながらナット５４を締め付ける必要があるが、印刷機用軸受は内径が１００ｍｍを越えるものが多く、軸受の回転・ナットの締め付けに力が必要であり、特に、印刷機用版胴の回転軸は約１．５ｍと長く、卓上での取り付けができず、予圧調整に大きな手間がかかるという問題がある。
【０００７】
本発明は、上述のような従来技術の問題に鑑み、内輪の傾きを少なくし、軸受の剛性の安定性と版胴の振れを抑制することができ、また予圧調整が容易となる印刷機械の版胴サポート用円すいころ軸受を提供することを目的とする。
【課題を解決するための手段】
【０００８】
上記目的を達成するために、本発明による円すいころ軸受は、テーパ状の内方軌道を有する外輪と、テーパ状の外方軌道を有しその外方軌道の小径側端部に小つば部を大径側端部に大つば部をそれぞれ形成した内輪と、保持器によって前記内方軌道と前記外方軌道との間に転動自在に保持案内される複数の円すいころと、を備える印刷機械の版胴サポート用円すいころ軸受であって、前記円すいころの尾部側と前記内輪の小つば部とを接触させたときに、前記円すいころの頭部側端面と前記内輪の大つば部との間に形成される隙間の寸法ΔＬを１．０ｍｍ以下としたことを特徴とする。
【０００９】
この円すいころ軸受によれば、円すいころの尾部側と内輪の小つば部とを接触させたときに、円すいころの頭部側端面と内輪の大つば部との間に形成される隙間の寸法ΔＬを１．０ｍｍ以下のように小さく構成することにより、軸受を印刷機械に組み込み、ナット等の締め付け部材で締め込んで予圧をかけたときに、内輪の大つば面と円すいころの頭部側端面とが当接するまでの量が小さくすむため、ナット等の締め付け部材で締め込む際の締め込み量が小さくなる。ナット等の締め付け部材での締め込みの際に生じる傾き量は、締め付け部材で締め込む際の締め込み量が小さいほど少なくなるため、内輪の傾き量を抑え少なくできる。これにより、軸受の剛性の安定性と版胴の振れを抑制できるとともに、ナット等の締め付け部材で締め込む際の締め込み量を少なくできるので、予圧調整の手間を軽減でき、予圧調整が容易となる。
【００１０】
本発明によるもう１つの円すいころ軸受は、テーパ状の内方軌道を有する外輪と、テーパ状の外方軌道を有しその外方軌道の小径側端部に小つば部を大径側端部に大つば部をそれぞれ形成した内輪と、保持器によって前記内方軌道と前記外方軌道との間に転動自在に保持案内される複数の円すいころと、を備える印刷機械の版胴サポート用円すいころ軸受であって、前記円すいころの尾部側と前記内輪の小つば部とを接触させたときに、前記円すいころの頭部側端面と前記内輪の大つば部との間に形成される隙間の寸法ΔＬと前記円すいころの長さＬとの比ΔＬ／Ｌを０．０１６以下としたことを特徴とする。
【００１１】
この円すいころ軸受によれば、円すいころの尾部側と内輪の小つば部とを接触させたときに、円すいころの頭部側端面と内輪の大つば部との間に形成される隙間の寸法ΔＬと円すいころの長さＬとの比ΔＬ／Ｌを０．０１６以下となるように構成することで、ナット等の締め付け部材での締め込みによる予圧のばらつきを小さくすることができ、適正な予圧量を与えることが可能となり、過大予圧による軸受寿命の減少や過小予圧による剛性不足を防止することができる。
【００１２】
上記各円すいころ軸受において前記印刷機械の版胴の回転軸とハウジングとの間に組み込まれる際に、前記内輪を前記回転軸に対し締め付け部材により予圧が加えられて締め込むように構成される。
【発明の効果】
【００１３】
本発明の円すいころ軸受によれば、内輪の傾きを少なくし、軸受の剛性の安定性と版胴の振れを抑制することができ、また予圧調整が容易となる。
【発明を実施するための最良の形態】
【００１４】
以下、本発明を実施するための最良の形態について図面を用いて説明する。図３は本実施の形態による円すいころ軸受の要部断面図である。
【００１５】
本実施の形態による円すいころ軸受は図１，図２で説明した円すいころ軸受けと基本的に同一の構成であるので、全体構成の説明を省略し、その要部について図３を参照して説明する。
【００１６】
図３に示すように、本実施の形態による円すいころ軸受３０は、金属製の保持器１７が円すいころ１２の投影面積よりも小さな窓１７ａを形成し、籠形保持器に構成され、保持器１７を円すいころ１２のピッチ円径よりも大径にしている。このため、保持器１７により保持された複数の円すいころ１２を内輪１３の外側に装着した場合、複数の円すいころ１２は内輪１３と分離せず、内輪１３と円すいころ１２を一体的に取り扱うことができる。
【００１７】
図３の円すいころ軸受３０では、各円すいころ１２を内輪１３の外方軌道１３ａ上の正規位置に配列し、各円すいころ１２の尾部側と小つば部１５とを接触させたときに各円すいころ１２の頭部側端面と大つば部１６との間に形成される隙間２５の寸法ΔＬを１．０ｍｍ以下なるようにしている。
【００１８】
更に、隙間２５の寸法ΔＬを円すいころ１２の軸方向長さＬに対して、ΔＬ／Ｌ≦０．０１６としている。
【００１９】
上述の本実施の形態による円すいころ軸受３０は  図２のように、印刷機械の版胴５１の回転軸５３とハウジング５２との間に組み込まれ、軸端側の内輪１３を回転軸５３に対しナット５４により締め付けられて予圧が加えられて締め込まれる。
【００２０】
上述のように、本実施の形態によれば、内輪１３の溝幅と円すいころ長さＬの隙間２５を１．０ｍｍ以下と小さくすることにより、軸受を組込み、ナット５４で締め込んで予圧をかけたときに、内輪１３の大つばぶ１６と円すいころ１２の頭部側端面とが当接するまでの量が小さくすむため、ナット５４による締め込み量が少なくなる。ナット５４での締込み時に生じる傾き量は、ナット５４での締め込み量が小さいほど少なくなるため、内輪１３の傾き量を抑え少なくできる。また、ナット５４の締め込み量を少なくできるため、予圧調整の手間を軽減することができる。
【００２１】
また、隙間２５の寸法ΔＬと円すいころ１２の軸方向長さＬとの比ΔＬ／Ｌを０．０１６以下とすることで、ナット５４の締め付けによる予圧のばらつきを小さくすることができ、適正な予圧量を与えることが可能となり、過大予圧による軸受寿命の減少、過小予圧による剛性不足を防止することができる。
【００２２】
本発明者の検討によると、上記隙間２５の寸法ΔＬの値は、印刷機の版胴用軸受では自動車用軸受に比べ大きく、例えば、内輪の内径１８０ｍｍの複列の軸受の場合、図３の隙間２５の寸法ΔＬを０．１〜０．２６ｍｍに設定することができ、上述の効果を得ることができることが判明した。
【００２３】
以上のように本発明を実施するための最良の形態について説明したが、本発明はこれらに限定されるものではなく、本発明の技術的思想の範囲内で各種の変形が可能である。
【図面の簡単な説明】
【００２４】
【図１】印刷機械の版胴サポート用転がり軸受の従来例を示す断面図である。
【図２】図１の転がり軸受を印刷機械の版胴サポートのために組み込んだ状態を示す図である。
【図３】本実施の形態による円すいころ軸受の要部を示す要部断面図である。
【符号の説明】
【００２５】
１０ 円すいころ軸受、転がり軸受
１１ 外輪
１１ａ 内方軌道
１２ 円すいころ
１３ 内輪
１３ａ 外方軌道
１４ 外輪間座
１５ 小つば部
１６ 大つば部
１７ 保持器
２０ 円すいころ軸受、転がり軸受
２１ 外輪
２２ 円すいころ
２３ 内輪
２５ 隙間
３０ 円すいころ軸受
５１ 印刷機械の版胴
５２ 印刷機械のハウジング
５３ 版胴の回転軸
５４ ナット（締め付け部材）
ΔＬ 隙間２５の寸法
Ｌ 円すいころの軸方向長さ
【図１】
2008025661.tif 000003
【図２】
2008025661.tif 000004
【図３】
2008025661.tif 000005